(57)【要約】【課題】樹木の直径の測定値と樹種とを対応づけて良好に記録できるようにする。【解決手段】可動辺部材の一端はＬ字状部材１１０の長辺部１１２にスライド可能に取り付けられている。Ｌ字状部材１１０の短辺部１１１および可動辺部材で測定対象の樹木を挟み込んでこの樹木の直径を測定する。長辺部１１２に沿って磁気的または光学的に目盛りが付されており、目盛り読み取り部１３２は、この目盛りを磁気的または光学的に読み取ることで測定値ＤＡを取得する。ユーザ（測定者）は、樹種選定スイッチ１３７の押圧操作により、測定される樹種を選定する。制御部１３１は、測定値および樹種がデータ記憶部１４０の記憶媒体に対応付けて記憶されるように制御する。この場合、入力部１３３から入力される測定位置情報ＤＢおよび時計機能部１３１ａで得られる測定日時の情報も対応付けて記憶する。【選択図】        図２
2006194691.tif 000002
【特許請求の範囲】
【請求項１】
短辺部および長辺部からなるＬ字状部材と、
一端が上記Ｌ字状部材の長辺部にスライド可能に取り付けられ、上記Ｌ字状部材の短辺部と同一方向に延びる可動辺部材とを有し、
上記Ｌ字状部材の短辺部および上記可動辺部材で測定対象の樹木を挟み込んで該樹木の直径を測定する樹木径測定器であって、
上記可動辺部材の一端に取り付けられた測定部を備え、
上記測定部は、
上記可動辺部材のスライド位置に対応した値を測定値として取得する測定値取得手段と、
ユーザが上記測定対象の樹木の樹種を選定するための樹種選定手段と、
上記測定値取得手段で取得された測定値および上記樹種選定手段で選定された樹種を対応付けて記憶媒体に記憶するように制御する制御手段と
を有することを特徴とする樹木径測定器。
【請求項２】
上記Ｌ字状部材の長辺部に沿って磁気的または光学的に目盛りが付され、
上記測定値取得手段は、上記可動辺部材のスライド位置に対応した、上記Ｌ字状部材の長辺部に付された目盛りを磁気的または光学的に読み取ることで上記測定値を取得する
ことを特徴とする請求項１に記載の樹木径測定器。
【請求項３】
上記記憶媒体を有し、上記制御部の制御により上記記憶媒体に上記測定値および上記樹種を対応付けて記憶するデータ記憶部をさらに備え、
上記データ記憶部は上記測定部にケーブルを介して接続され、あるいは上記データ記憶部は上記測定部と一体的に形成されている
ことを特徴とする請求項１に記載の樹木径測定器。
【請求項４】
上記測定部は、少なくとも、上記測定値取得手段で取得された測定値および上記樹種選定手段で選定された樹種を表示する表示手段をさらに有する
ことを特徴とする請求項１に記載の樹木径測定器。
【請求項５】
上記測定部は、日付および時刻を得る時計機能部をさらに有し、
上記制御部は、上記測定値および上記樹種と共に上記時計機能部で得られる測定日時の日付および時刻を対応付けて上記記憶媒体に記憶するように制御する
ことを特徴とする請求項１に記載の樹木径測定器。
【発明の詳細な説明】
【技術分野】
【０００１】
この発明は、例えば送電線下等にある樹木の直径を測定する際に使用して好適な樹木径測定器に関する。詳しくは、この発明は、測定対象の樹木の直径を示す測定値を自動的に取得すると共に、この測定値とユーザが選定した測定対象の樹木の樹種とを対応付けて記憶媒体に記憶するように制御することによって、樹木の直径の測定値と樹種とを対応付けて良好に記録できるようにした樹木径測定器に係るものである。
【背景技術】
【０００２】
送電線下等の樹木が生長し送電線に接近してくると、樹木接触による電気事故の発生のおそれが高くなる。そのため従来、この樹木接触による電気事故を未然に防止するために、送電線に接触しそうな樹木を伐採することが行われている。
【０００３】
樹木伐採をするために、予め伐採樹木調査が行われ、伐採すべき樹木の「樹種、胸高直径、本数」を確定することが行われる。その調査方法は、測定者が樹木径測定器としての輪尺を使用して該当樹木の胸高直径を測定し、樹種と測定値を読み上げ、記録者が手書きにて手帳などに記録している。このように樹種や胸高直径を記録しておくのは、それによって樹木伐採の補償額が変わってくるからである。
【０００４】
図６は、輪尺２００の構成を示している。この輪尺２００は、Ｌ字状部材２１０と、可動辺部材２２０とから構成されている。Ｌ字状部材２１０は、短辺部２１１と長辺部２１２とからなっている。長辺部２１２には、目視可能に目盛り２１３が付されている。
【０００５】
可動辺部材２２０はＬ字状部材２１０の短辺部２１１と同一方向に延びるものであって、その一端がＬ字状部材２１０の長辺部２１２にスライド可能に取り付けられている。この可動辺部材２２０は、長辺部２１２の延伸方向に押圧されることで、短辺部２１１と平行な状態を保持したまま、当該押圧方向に移動する。
【０００６】
この輪尺２００を用いて樹木２３０の直径を測定する場合、測定者は、図６に示すように、Ｌ字状部材２１０の短辺部２１１および可動辺部材２２０で測定対象の樹木２３０を挟み、可動辺部材２２０のスライド位置に対応した目盛り２１３を読み取るようにする。
【０００７】
図６に示すような輪尺２００を用いて樹木２３０の直径を測定する場合、上記したように測定者はその都度可動辺部材２２０のスライド位置に対応した目盛り２１３を読み取ってその値および樹種を読み上げることが必要であると共に、それらを記録者が手書きにて手帳等に書き込むものである。
【０００８】
そのため、測定者はその都度目盛りを読み取るという作業が必要となり、また測定者および記録者の二人で作業を行うことが必要であり、さらに測定者の読み上げ内容が記録者に正確に伝わらず記録内容が正確でなくなるおそれもあった。
【０００９】
例えば、特許文献１には、自動的に目盛りを読み取り、測定者の労力を軽減できる測定器が記載されている。また例えば、特許文献２には、測定器の計測データをデータ蓄積部に保存する測定データ取り込み装置が記載されている。
【００１０】
【特許文献１】特開平９−３２９４０７号公報
【特許文献２】実開平６−３７９４０号公報
【発明の開示】
【発明が解決しようとする課題】
【００１１】
上述した特許文献１，２を組み合わせることで、目盛りを自動的に読み取り、その値を記録媒体に記録するということが考えられる。これにより、測定者の労力を軽減でき、また記録者が不要となって省力化を図ることができ、また目盛りの読み取り値については記録内容の正確化を図ることができる。
【００１２】
しかし、上述したように、樹木の直径を測定し、その測定値と共に樹種を記録するものにあっては、樹種をどのようにして測定値と対応付けて記録するかが問題となる。
【００１３】
この発明の目的は、樹木の直径の測定値と樹種を対応付けて良好に記録できるようにすることにある。
【課題を解決するための手段】
【００１４】
この発明に係る樹木径測定器は、短辺部および長辺部からなるＬ字状部材と、一端がＬ字状部材の長辺部にスライド可能に取り付けられ、このＬ字状部材の短辺部と同一方向に延びる可動辺部材とを有し、Ｌ字状部材の短辺部および可動辺部材で測定対象の樹木を挟み込んでこの樹木の直径を測定する樹木径測定器であって、可動辺部材の一端に取り付けられた測定部を備え、この測定部は、可動辺部材のスライド位置に対応した値を測定値として取得する測定値取得手段と、ユーザが測定対象の樹木の樹種を選定するための樹種選定手段と、測定値取得手段で取得された測定値および樹種選定手段で選定された樹種を対応付けて記憶媒体に記憶するように制御する制御手段とを有するものである。
【００１５】
この発明においては、可動辺部材のスライド位置に対応した値が測定値として取得される。例えば、Ｌ字状部材の長辺部に沿って磁気的または光学的に目盛りが付されており、この目盛りが磁気的または光学的に読み取られることで測定値が取得される。また例えば、可動辺部材のスライドに伴って回転する歯車が備えられおり、この歯車の回転により駆動されるカウンタの値が測定値として取得される。
【００１６】
Ｌ字状部材の短辺部および可動辺部材で測定対象の樹木を挟み込んだ状態で、測定部の測定値取得手段で取得される測定値が当該樹木の直径となる。また、ユーザ（測定者）は、樹種選定手段により測定対象の樹木の樹種を選定できる。そして、制御手段により、測定値取得手段で取得された測定値および樹種選定手段で設定された樹種が対応付けて記憶媒体に記憶されるように制御される。これにより、樹木の直径の測定値と樹種とを対応づけて良好に記録できる。
【００１７】
この場合、例えば記憶媒体を有するデータ記憶部も備え、このデータ記憶部が制御手段により制御され、記憶媒体に測定値および樹種が対応付けて記憶される。このデータ記憶部は、測定部と一体的に形成されていてもよく、またケーブルを介して接続されるものであってもよい。データ記憶部がケーブルを介して接続されるものにあっては、そのケーブルが測定部に着脱自在に接続されるようになっていてもよい。これにより、山に登るときなど、ケーブルを外した状態で持っていくことができ、ケーブルが邪魔になることを回避できる。
【００１８】
また例えば、測定部が、測定値取得手段で取得された測定値および樹種選定手段で設定された樹種を表示する表示手段を有するようにしてもよい。この場合、ユーザ（測定者）は、表示を見て、記憶媒体に記憶される樹木直径の測定値および樹種を確認でき、誤った記録がなされることを防止できる。
【００１９】
また、Ｌ字状部材の長辺部に沿って付される目盛りが、上述したように磁気的または光学的に付される他に、目視可能にも付されるようにしてもよい。これにより、測定部が何らかの事情で故障して目盛りの自動読み取りができない場合、目視で目盛りを読み取ることで樹木直径の測定を行うことができる。
【００２０】
なお、上記測定部は、日付および時刻を得る時計機能部をさらに有し、制御部は、測定値および樹種と共に時計機能部で得られる測定日時の日付および時刻を対応付けて記憶媒体に記憶するように制御するようにしてもよい。これにより、記憶情報から測定値および樹種と共にその測定日時の情報も得ることができる。
【００２１】
また、測定部は、ユーザが操作する入力手段をさらに有し、
上記制御部は、測定値および樹種と共に入力手段で入力される測定位置の情報、例えば鉄塔番号を対応付けて記憶媒体に記憶するように制御するようにしてもよい。これにより、記憶情報から測定値および樹種と共にその測定位置の情報も得ることができる。
【発明の効果】
【００２２】
この発明によれば、測定対象の樹木の直径を示す測定値を自動的に取得すると共に、この測定値とユーザが選定した測定対象の樹木の樹種とを対応付けて記憶媒体に記憶するように制御するものであり、樹木の直径の測定値と樹種とを対応付けて良好に記録できる。
【発明を実施するための最良の形態】
【００２３】
以下、図面を参照しながら、この発明の実施の形態について説明する。図１は、実施の形態としての樹木径測定器１００の構成を示している。
【００２４】
この樹木径測定器１００は、Ｌ字状部材１１０と、可動辺部材１２０とを有している。Ｌ字状部材１１０は、短辺部１１１と長辺部１１２とからなっている。長辺部１１２には、磁気的または光学的に目盛りが付されていると共に、目視可能にも目盛り１１３が付されている。
【００２５】
可動辺部材１２０はＬ字状部材１１０の短辺部１１１と同一方向に延びるものであって、その一端はＬ字状部材１１０の長辺部１１２にスライド可能に取り付けられている。この可動辺部材１２０は、長辺部１１２の延伸方向に押圧されることで、短辺部１１１と平行な状態を保持したまま、当該押圧方向に移動する。
【００２６】
また、この樹木径測定器１００は、測定部１３０と、データ記憶部１４０とを備えている。測定部１３０は、可動辺部材１２０の一端に取り付けられている。図２は、測定部１３０の詳細構成を示している。
【００２７】
この測定部１３０は、制御部１３１と、目盛り読み取り部１３２と、入力部１３３と、表示部１３４と、電源スイッチ１３５と、測定スイッチ１３６と、樹種設定スイッチ１３７とを有している。制御部１３１は、例えばマイクロコンピュータを備えて構成されており、測定部１３０の全体の動作を制御する。この制御部１３１は、時計機能部１３１ａを有しており、この時計機能部１３１ａから測定日時の日付および時刻を得ることができる。
【００２８】
目盛り読み取り部１３２は、測定値取得手段を構成しており、Ｌ字状部材１１０の長辺部１１２に磁気的または光学的に付された目盛りを磁気的または光学的に読み取って、可動辺部材１２０のスライド位置に対応した測定値を取得する。この目盛り読み取り部１３２で取得された測定値ＤＡは制御部１３１に入力される。
【００２９】
例えば、Ｌ字状部材１１０の長辺部１１２に所定間隔毎に磁気的な目盛りとしてＮ極およびＳ極を交互に形成しておき、目盛り読み取り部１３２は、可動辺部材１２０のスライドに伴って通過するＮ極、Ｓ極を検出し、それによりカウンタのカウント値を増減し、測定値を取得する。
【００３０】
また例えば、Ｌ字状部材１１０の長辺部１１２に所定間隔毎に光学的な目盛りとして光反射部および光吸収部を交互に形成しておき、目盛り読み取り部１３２は、可動辺部材１２０のスライドに伴って通過する光反射部、光吸収部を検出し、それによりカウンタのカウント値を増減し、測定値を取得する。
【００３１】
なおこの場合、電源オン後に、可動辺部材１２０が短辺部１１１に接した状態、つまり測定値“０”の状態でカウンタの値をリセットする操作が必要となる。このリセットの操作は、例えば電源オン後にユーザが入力部１３３を操作してリセットを指示するのに伴って、制御部１３１の制御により行われる。
【００３２】
Ｌ字状部材１１０の長辺部１１２に磁気的または光学的に絶対的な値が記憶されており、これを読み取って測定値を得るものにあっては、このようなリセット操作は不要である。
【００３３】
入力部１３３は、テンキーなどを備えており、ユーザが操作するものである。ユーザは、この入力部１３３を操作して、測定位置の情報、例えば測定位置上の送電線を支持する鉄塔の番号などを入力できる。この入力部１３３により入力された測定位置の情報ＤＢは制御部１３１に供給される。
【００３４】
表示部１３４は、例えばＬＣＤ(Liquid Crystal Display)またはＬＥＤ(Light Emitting Diode)表示素子等で構成されている。この表示部１３４の表示動作は制御部１３１により制御され、この表示部１３４には樹木直径の測定値、樹種などが表示される。
【００３５】
電源スイッチ１３５は、測定部１３０の電源をオンまたはオフとするためのスイッチである。この電源スイッチ１３５は、制御部１３１に接続されている。また、測定スイッチ１３６は、例えば自動復帰型の押しボタンスイッチであって、上述した目盛り読み取り部１３２から入力された測定値ＤＡを、測定対象の樹木の直径として取り込むためのスイッチである。この測定スイッチ１３６は、制御部１３１に接続されている。
【００３６】
樹種選定スイッチ１３７は、樹種選定手段を構成しており、選定すべき各樹種にそれぞれ対応した複数個の自動復帰型の押しボタンスイッチからなっている。この樹種選定スイッチ１３７は、制御部１３１に接続されている。この樹種選定スイッチ１３７は、ユーザが操作するものである。ユーザ（測定者）は、所定の樹種に対応する押しボタンスイッチを押すことで、当該所定の樹種を選定することができる。
【００３７】
また、図１に戻って、データ記憶部１４０は、記憶媒体として例えば半導体メモリを備えている。データ記憶部１４０は、この記憶媒体に、上述した測定部１３０の制御部１３１の制御により、測定対象の樹木直径の測定値および樹種を対応付けて記憶する。このデータ記憶部１４０は、ケーブル１５０を介して、測定部１３０に接続されている。Ｌ字状部材２１０の長径部１１２の端部には、ケーブル１５０を通す貫通穴（図示せず）が形成されたケーブル抑え部１１２ａが設けられている。この場合、データ記憶部１４０はケーブル１５０を介して制御部１３１に制御され、また制御部１３１からケーブル１５０を介してデータ記憶部１４０に記憶すべき測定値および樹種等が送られる。このデータ記憶部１４０は、図２に示すように、ＵＳＢ(Universal Serial Bus)ポート１４０ａを備えており、記憶媒体に記憶された情報をパーソナルコンピュータに転送可能とされている。
【００３８】
なお、ケーブル１５０は測定部１３０に着脱自在に接続されている。したがって、測定時以外、例えば山を登っている間などはケーブル１５０を測定部１３０から外し、ケーブル１５０およびデータ記憶部１４０を別途携行することで、ユーザ（測定者）が山を登る際に、ケーブル１５０、データ記録部１４０が邪魔になることを防止できる。また、データ記憶部１４０は、測定部１３０と一体的に形成してもよい。これにより、ケーブル１５０は不要となる。
【００３９】
次に、上述した樹木径測定器１００を用いて樹木１６０の直径を測定する場合の、制御部１３１の制御動作を、図３のフローチャートを参照して説明する。ステップＳＴ１で、ユーザ（測定者）が電源スイッチ１３５を押して電源オンとなると、ステップＳＴ２で、測定位置の情報ＤＢとして鉄塔番号（鉄塔Ｎｏ．）の入力があったか否かを判定する。ユーザ（測定者）が入力部１３３を操作して鉄塔番号を入力すると、ステップＳＴ３に進む。この場合、制御部１３１は、入力部１３３から入力された鉄塔番号を取り込む。
【００４０】
このステップＳＴ３では、ユーザ（測定者）が樹種選定スイッチ１３７を押したか否かを判定する。押していないときは、ステップＳＴ４で、ユーザ（測定者）が電源スイッチ１３５を押して電源オフとしたか否かを判定する。電源オフとされるときは、ステップＳＴ５で、動作を終了する。一方、電源オフとされていないときは、ステップＳＴ３に戻る。
【００４１】
ステップＳＴ３で樹種選定スイッチ１３７が押されて測定対象の樹木の樹種が選定されたときは、ステップＳＴ６に進む。このステップＳＴ６では、ユーザ（測定者）が測定スイッチ１３６を押したか否かを判定する。なお、ユーザ（測定者）は、測定スイッチ１３６を押す前に、図１に示すように、Ｌ字状部材１１０の短辺部１１１および可動辺部材１２０で測定対象の樹木１６０を挟み込むようにする。測定スイッチ１３６が押されるとき、ステップＳＴ７で、目盛り読み取り部１３２からの測定値ＤＡを測定対象の樹木の直径として取り込む。
【００４２】
次に、ステップＳＴ８で、ステップＳＴ３の樹種選定スイッチ１３７の押圧操作で選定された測定対象の樹木の樹種、およびステップＳＴ７で取り込まれた測定対象の樹木の直径としての測定値を表示部１３４に表示する。この場合、ステップＳＴ２の入力操作で入力された測定位置の情報ＤＢとしての鉄塔番号および時計機能部１３１ａから得られる測定日時も同時に表示する。測定日時は、例えば電源オン時の日時とされる。図４は、表示部１３４の表示例を示している。この表示により、測定位置が鉄塔番号「No.○○××」の位置であり、測定日時は「平成１６年４月１０日の１４時」であり、測定対象の樹種が「スギ」であり、測定対象の樹木の胸高直径が「６４ｃｍ」である、ことがわかる。
【００４３】
次に、ステップＳＴ９で、記憶してよいか否かを判定する。ユーザ（測定者）が例えば入力部１３３で「１」を入力したときは記憶してよいと判定し、ステップＳＴ１０に進む。
【００４４】
このステップＳＴ１０では、樹種、測定値、鉄塔番号、測定日時の情報をデータ記憶部１４０に送り、それらを記憶媒体に記憶させる。この場合、測定値に対応付けて、樹種、鉄塔番号、測定日時が記憶されることになる。このステップＳＴ１０の処理の後に、ステップＳＴ３に戻り、同じ測定位置における次の測定対象の樹木の測定に備える。
【００４５】
ステップＳＴ９でユーザ（測定者）が例えば入力部１３３で「０」を入力したときは記憶してはいけないと判定し、直ちにステップＳＴ３に戻る。これにより、ユーザ（測定者）は、表示部１３４の表示により例えば樹種を間違えていたことがわかった場合等にあっては、入力部１３３で「０」を入力して、誤った情報がデータ記憶部１４０の記憶媒体に記憶されることを防止でき、樹種の選定からやり直すことができる。
【００４６】
なお、ユーザ（測定者）は、電源スイッチ１３５を押すことによる電源オフの操作を、同じ測定位置での測定が全て終了した場合に行う。これにより、同じ測定位置（鉄塔番号）で、複数の樹木の測定を連続して行うことができる。
【００４７】
図５は、データ記憶部１４０における、樹種、測定値等の記憶内容例を示している。例えば、平成１６年４月５日に、鉄塔番号「No.△△××」の測定位置で、４本の樹木を測定し、それぞれの樹種はスギ、スギ、ヒノキ、スギであって、それぞれの胸高直径が６５ｃｍ、７０ｃｍ、５３ｃｍ、４８ｃｍであるという情報などが記憶されている。
【００４８】
図１に示す樹木径測定器１００によれば、測定対象の樹木の直径を示す測定値ＤＡを測定部１３０の目盛り読み取り部１３２で自動的に取得すると共に、この測定値ＤＡとユーザ（測定者）が樹種選定スイッチ１３７の押圧操作により選定した測定対象の樹木の樹種とを、制御部１３１の制御によりデータ記憶部１４０の記憶媒体に対応付けて記憶するものであり、樹木の直径の測定値と樹種とを対応付けて良好に記録できる。
【００４９】
また、図１に示す樹木径測定器１００によれば、データ記憶部１４０がケーブル１５０を介して測定部１３０に接続されるものであり、そのケーブル１５０が測定部１３０に着脱自在に接続されるようになっており、山に登るときなど、ケーブル１５０を外した状態でデータ記憶部１４０を持っていくことができ、ケーブル１５０、データ記憶部１４０が邪魔になることを回避できる。
【００５０】
また、図１に示す樹木径測定器１００によれば、測定部１３０が表示部１３４を有しており、この表示部１３４に測定対象の樹木直径の測定値および樹種が表示されるものであり、ユーザ（測定者）はデータ記憶部１４０の記憶媒体に記憶される樹木直径の測定値および樹種を確認でき、誤った記録がなされることを防止できる。
【００５１】
また、図１に示す樹木径測定器１００によれば、Ｌ字状部材１１０の長辺部１１２に沿って磁気的または光学的に目盛りが付される他に、目視可能な目盛り１１３も付されているので、測定部１３０が何らかの事情で故障して目盛りの自動読み取りができない場合、目視で目盛りを読み取ることで樹木直径の測定を行うことができる。
【００５２】
また、図１に示す樹木径測定器１００によれば、測定対象の樹木の胸高直径の測定値および樹種と共に測定日時も対応付けてデータ記憶部１４０の記憶媒体に記憶するものであり、記憶情報から測定値および樹種と共にその測定日時の情報も得ることができる。
【００５３】
また、図１に示す樹木径測定器１００によれば、測定対象の樹木の胸高直径の測定値および樹種と共に測定位置の情報ＤＢ、例えば鉄塔番号を対応付けてデータ記憶部１４０の記憶媒体に記憶するものであり、記憶情報から測定値および樹種と共にその測定位置の情報も得ることができる。
【００５４】
なお、上述実施の形態においては、Ｌ字状部材１１０の長辺部１１２に沿って磁気的または光学的に目盛りが付されており、この目盛りが目盛り読み取り部１３２で磁気的または光学的に読み取られることで測定値ＤＡが取得されるものであるが、測定値取得手段の構成はこれに限定されない。例えば、図示せずも、測定部１３０が可動辺部材１２０のスライドに伴って回転する歯車を備え、この歯車の回転により駆動されるカウンタの値を測定値として取得する構成であってもよい。
【００５５】
また、上述実施の形態においては、測定対象の樹木の胸高直径の測定値および樹種と共に、測定位置および測定日時の情報をも記憶するようにしたものであるが、これら測定位置および測定日時の情報は必ずしも記憶する必要はない。
【産業上の利用可能性】
【００５６】
この発明は、樹木の直径の測定値と樹種とを対応付けて良好に記録できるものであり、送電線下等にある樹木の直径を測定する際に適用できる。
【図面の簡単な説明】
【００５７】
【図１】実施の形態としての樹木径測定器の構成を示すブロック図である。
【図２】測定部の詳細構成を示すブロック図である。
【図３】測定動作を説明するためのフローチャートである。
【図４】測定値、樹種等の表示例を示す図である。
【図５】記憶媒体の記憶内容例を示す図である。
【図６】輪尺の構成を示す図である。
【符号の説明】
【００５８】
１００・・・樹木径測定器、１１０・・・Ｌ字状部材、１１１・・・短辺部、１１２・・・長辺部、１１２ａ・・・ケーブル抑え部、１１３・・・目盛り、１２０・・・可動辺部材、１３０・・・測定部、１３１・・・制御部、１３１ａ・・・時計機能部、１３２・・・目盛り読み取り部、１３３・・・入力部、１３４・・・表示部、１３５・・・電源スイッチ、１３６・・・測定スイッチ、１３７・・・樹種選定スイッチ、１４０・・・データ記憶部、１４０ａ・・・ＵＳＢポート、１５０・・・ケーブル、１６０・・・樹木
【図１】
2006194691.tif 000003
【図２】
2006194691.tif 000004
【図３】
2006194691.tif 000005
【図４】
2006194691.tif 000006
【図５】
2006194691.tif 000007
【図６】
2006194691.tif 000008